(57)【要約】【課題】蛍光管の点灯及び消灯による熱伸縮の吸収性に優れ、部品点数の低減に効果的な蛍光管用ソケットの提供を目的とする。【解決手段】蛍光管を電源に電気接続するためのハウジングと当該ハウジングに収容されたコンタクトを備えたソケットであって、ハウジングは、少なくとも一方に開口したコンタクト収容部を有し、コンタクトは、前記ハウジングのコンタクト収容部に固定するコンタクトベース部と、蛍光管の電極に接触する接触片と、コンタクトベース部に設けられたガイド部とを有し、接触片は、コンタクトベース部と弾性変形部にて連結されているとともに、接触片から延在するスタビライザーを有し、当該スタビライザーの移動が前記ガイド部にてガイドされることを特徴とする。【選択図】  図１
2010225451.tif 000002
【特許請求の範囲】
【請求項１】
蛍光管を電源に電気接続するためのハウジングと当該ハウジングに収容されたコンタクトを備えたソケットであって、
ハウジングは、少なくとも一方に開口したコンタクト収容部を有し、
コンタクトは、前記ハウジングのコンタクト収容部に固定するコンタクトベース部と、蛍光管の電極に接触する接触片と、コンタクトベース部に設けられたガイド部とを有し、
接触片は、コンタクトベース部と弾性変形部にて連結されているとともに、接触片から延在するスタビライザーを有し、当該スタビライザーの移動が前記ガイド部にてガイドされることを特徴とする蛍光管用ソケット。
【請求項２】
蛍光管を電源に電気接続するための、ハウジングと当該ハウジングに収容されたコンタクトを備えたソケットであって、
ハウジングは、少なくとも一方に開口したコンタクト収容部と、ガイド部とを有し、
コンタクトは、前記ハウジングのコンタクト収容部に固定するコンタクトベース部と、蛍光管の電極に接触する接触片とを有し、
接触片は、コンタクトベース部と弾性変形部にて連結されているとともに、接触片から延在するスタビライザーを有し、
当該スタビライザーの移動が、前記ガイド部にてガイドされることを特徴とする蛍光管用ソケット。
【請求項３】
前記接触片と前記弾性変形部との間を、弾性変形部に設けられたアーム部によって連結し、接触片とコンタクトベース部との間に生じるねじれ変形を許容し得ることを特徴とする請求項１又は２記載の蛍光管用ソケット。
【請求項４】
コンタクトの接触片を蛍光管の電極に対して開放状態と接触状態とを切り換え保持するカバー部材を有し、
カバー部材は、前記接触片接触状態においてハウジングに対して蛍光管軸方向にスライド移動可能であり、且つコンタクトの接触片の移動に追随可能であることを特徴とする請求項２記載の蛍光管用ソケット。
【発明の詳細な説明】
【技術分野】
【０００１】
本発明は蛍光管用ソケットに関し、特に液晶テレビ等の液晶表示装置のバックライト用蛍光管のソケットに適する。
【背景技術】
【０００２】
液晶表示装置等に用いられるバックライトとして冷陰極蛍光管等の蛍光管が周知である。
この種の蛍光管はリジット基板に接続するソケットに装着されるが、点灯と消灯により蛍光管の両端の電極間長さ、ソケット、ソケットを取り付けたシャーシ及び基板のそれぞれの間に相対的な熱伸縮差が生じる。
これらの熱伸縮差を吸収する機構を設けてやらないと蛍光管の電極とソケットのコンタクトの接触部及び基板接点部にズレが生じ、接触が不安定になったり、蛍光管を構成するガラス管と電極部との間の不活性ガス封止部に負荷が加わり、封止ガスがリークし、短寿命化をきたす恐れがあった。
そこで本願出願人は先にベース部にハウジングをスライド自在に取り付け、このハウジングにコンタクトの蛍光管電極接触部を取り付け、ベース部に配置した基板との接点部と前記蛍光管電極接触部との間を弾性変形部で連結するソケットを提案した（特許文献１）。
この場合にベース部に対してスライド自在に移動するハウジングを設けたことにより部部品点数が多かった。
部品点数が多いと、金型費、材料費がかさみ、組立工数が増える問題があった。
【先行技術文献】
【特許文献】
【０００３】
【特許文献１】特願２００７−２２９５５８号
【発明の概要】
【発明が解決しようとする課題】
【０００４】
本発明は蛍光管の点灯及び消灯による熱伸縮の吸収性に優れ、部品点数の低減に効果的な蛍光管用ソケットの提供を目的とする。
【課題を解決するための手段】
【０００５】
本発明に係る蛍光管用ソケットは、蛍光管を電源に電気接続するためのハウジングと当該ハウジングに収容されたコンタクトを備えたソケットであって、ハウジングは、少なくとも一方に開口したコンタクト収容部を有し、コンタクトは、前記ハウジングのコンタクト収容部に固定するコンタクトベース部と、蛍光管の電極に接触する接触片と、コンタクトベース部に設けられたガイド部とを有し、接触片は、コンタクトベース部と弾性変形部にて連結されているとともに、接触片から延在するスタビライザーを有し、当該スタビライザーの移動が前記ガイド部にてガイドされることを特徴とする。
コンタクトが蛍光管の電極と接触する接触片を、ハウジングに固定するためのコンタクトベース部と弾性変形部で連結したことにより、弾性変形部の変形により蛍光管の点灯及び消灯による熱伸縮を吸収することになるが、接触片の蛍光管軸方向の移動及びそれと直交する略水平方向の移動をガイドしてやらないと接触片の接触安定性に不安が残る。
特に蛍光管が細長い冷陰極蛍光管にあっては蛍光管の軸方向の長さの伸縮差が大きい。
そこで、本発明は接触片から延在するスタビライザーを設け、このスタビライザーの移動をガイドするガイド部をコンタクト自身に設けたものである。
【０００６】
請求項２に係る発明は、前記スタビライザーの移動をガイドするガイド部をハウジングに設けた場合で、蛍光管を電源に電気接続するための、ハウジングと当該ハウジングに収容されたコンタクトを備えたソケットであって、ハウジングは、少なくとも一方に開口したコンタクト収容部と、ガイド部とを有し、コンタクトは、前記ハウジングのコンタクト収容部に固定するコンタクトベース部と、蛍光管の電極に接触する接触片とを有し、接触片は、コンタクトベース部と弾性変形部にて連結されているとともに、接触片から延在するスタビライザーを有し、当該スタビライザーの移動が、前記ガイド部にてガイドされることを特徴とする。
また、ここで、前記接触片と前記弾性変形部との間を、弾性変形部に設けられたアーム部によって連結し、接触片とコンタクトベース部との間に生じるねじれ変形を許容し得るようにしてもよい。
【０００７】
冷陰極蛍光管の場合には、ガラス管の封止部から突出したジメット線とも称されるリード部を有しているのが一般的であり、ソケットには、このリード部を直接挟持するタイプのものと、リード部からガラス管にまたがるように電極金具を取り付け、この電極金具を介して電気接続するタイプのものがある。
電極金具を用いた場合には、コンタクトの接触部に必ずしもＺＩＦ（Ｚｅｒｏ  Ｉｎｓｅｒｔｉｏｎ  Ｆｏｒｃｅ）構造やＬＩＦ（Ｌｏｗ  Ｉｎｓｅｒｔｉｏｎ  Ｆｏｒｃｅ）構造を必要としないが、脆弱なリード部に直接的に電気接続する場合には、ＺＩＦ構造やＬＩＦ構造を採用するのが好ましい。
そのような場合には、コンタクトの接触片を蛍光管の電極に対して開放状態と接触状態とを切り換え保持するカバー部材を有し、カバー部材は、前記接触片接触状態においてハウジングに対して蛍光管軸方向にスライド移動可能であり、且つコンタクトの接触片の移動に追随可能にするとよい。
ここでカバー部材にてコンタクトの接触片をリード部に対して開放状態と接触状態に切り換える手段は特に限定しないが、例えばカバー部材に接触片を外側からリード部側に押圧する傾斜面を設け、カバー部材をハウジングに押し込むことで接触状態に切り換える方法が例として挙げられる。
【発明の効果】
【０００８】
本発明に係るソケットにあっては、蛍光管の電極に接触する接触片と、コンタクトをハウジングに固定するためのコンタクトベース部とを弾性変形部で連結するとともにこの接触片から延在するスタビライザーの移動をガイドするガイド部をこのコンタクト自身、あるいはハウジングに設けたことにより、特許文献１に示したベース部とハウジングとを一体的に成形できるようになり、部品点数が減る。
また、接触片と弾性変形部との間を弾性変形部に設けたアーム部によって連結すると、接触片の前後方向の移動のみならず、ねじれ変形も吸収しやすくなる。
さらに、ＺＩＦ構造を採用するためにカバー部材をハウジングに追加した場合にあっては、カバー部材をコンタクトの接触片とともにハウジングに対して移動可能にすることで部品点数の低減を図ることができる。
【図面の簡単な説明】
【０００９】
【図１】本発明に係る第１の実施例のソケットを示し、（ａ）は蛍光管装着側からみた部品構成図、（ｂ）はコンタクトの部分拡大図を示す。
【図２】第１の実施例のソケットの背面側から見た図を示し、（ａ）は部品構成図、（ｂ）は部分拡大図を示す。
【図３】第１の実施例のソケットの外観図を示し、（ａ）は蛍光管装着側外観図、（ｂ）は背面から見た外観図を示す。
【図４】第１の実施例のソケットに蛍光管を装着した状態を示す。
【図５】第１の実施例に係るソケット断面図を示し、（ａ）はＡ−Ａ線断面図、（ｂ）はＢ−Ｂ線断面図を示す。
【図６】第１の実施例に係るソケットにおけるコンタクトの弾性変形例を示す。
【図７】第２の実施例に係るソケットの部品構成例を示す。
【図８】第２の実施例に係るソケットに蛍光管を装着した状態を示し、（ｂ）はカバー部材にて接触片を開放した状態とリード部を接触した状態を示す。
【図９】（ａ）はＣ−Ｃ線断面図を示し、（ｂ）はＤ−Ｄ線断面図を示す。
【図１０】コンタクトの弾性変形に伴ってカバー部材が移動する説明図を示す。
【図１１】（ａ），（ｂ）は第２の実施例に係るコンタクトを示し、（ｃ）はハウジングの断面図を示す。
【発明を実施するための形態】
【００１０】
本発明に係るソケットの構造例を以下図面に基づいて説明する。
図１〜図６は、第１の実施例に係るソケットの例を示す。
第１の実施例に係るソケットは、ＺＩＦ構造を必要としない場合の例である。
図３にソケット１００の外観図を示し、図１，図２に部品構成図を示す。
ソケット１００はハウジング２０にコンタクト１０を装着した例になっている。
ハウジング２０は絶縁性の樹脂成形品であり、図示を省略したシャーシ等に取付孔を設けて装着する取付ベース部２１の下側に基板を挿入する基板挿入口２２を有し、この基板挿入口２２と連通したコンタクト収容部２３を有する。
コンタクト収容部２３は上部が開口し、側壁２４ａ，２４ｂ，２４ｃが立設した箱形である。
符号２１ａはシャーシに固定するための突起部である。
【００１１】
コンタクト１０は金属製であり、板材をプレス等にて打ち抜き及び折り曲げ加工して一体的に製作してある。
コンタクト１０は、ハウジングに固定するコンタクトベース部１１を有し、このコンタクトベース部１１は図５（ｂ）に示すようにハウジング２０の底部に設けた溝部に差し込む挿入片１２と、ハウジングのコンタクト収容部２３の側壁にランス係止するランス１１ａ，１１ｂを有する。
コンタクト１０は、コンタクトベース部１１の下側に基板接点部１３を有し、この基板接点部１３は図５（ａ）に示すようにハウジングの基板挿入口２２に位置する。
コンタクトベース部１１から上方に向けて立設した帯状のアーム形状からなる弾性変形部１６を有し、この弾性変形部１６の上部付近から逆Ｕ字状に折り返したアーム部１５ａ，１５ｂを有する。
アーム部１５ａ，１５ｂの先端部は、対向立設した一対の接触片１４ａ，１４ｂと連結されている。
一対の接触片の根元に位置する支持部１７ａから前方側（蛍光管装着側）に立設した立設片１７の左右両側を平面視略コ字に折り曲げ、この折り曲げ部１７ｂから外側に向けて突出延在したスタビライザー１８を左右に対向して一対有する。
コンタクトベース部１１からは、左右一対のガイド部１９を立設してあり、ガイド部１９に設けたガイド孔１９ａにてスタビライザー１８の移動をガイドする。
ガイド孔１９は概ね前後方向に水平な長孔であり、接触片１４ａ，１４ｂが弾性変形部１６の変形により、前後方向（蛍光管の軸方向）に移動する際に、このスタビライザー１８の移動をガイドすることで図６に示すように安定した変形になる。
蛍光管をソケットに装着する際に生じるねじれ方向の変形は、一対のアーム部１５ａ，１５ｂでも吸収する。
蛍光管２は電極部のリード２ｂに接続した電極金具２ａを蛍光管のガラス管端部に取り付けた例になっている。
【００１２】
コンタクト１０をハウジング２０のコンタクト収容部２３に挿入組立てするには、基板接点部１３をハウジング２０の基板挿入口２２に位置するようにし、ハウジング２０の底部に設けた溝部に挿入片１２を差し込む際にランス１１ａ，１１ｂがハウジングの側壁２４ａ，２４ｂに設けた被係止部にランス係止する。
コンタクト１０の上部は、左右に一対の差し込み片１１ｃ，１１ｄを有し、ハウジング２０の側壁に設けた差し込み溝２３ａに差し込み固定する。
ハウジングの側壁にはスタビライザー１８の収容部２３ｂを有する。
【００１３】
図７〜図１１に第２の実施例に係るソケット２００の例を示す。
第２の実施例に係るソケットはカバー部材にて蛍光管のリード部に接触する接触片を開放状態と接触状態を切り換えるＺＩＦ構造を採用した例である。
【００１４】
ソケット２００は、ハウジング１２０，コンタクト１１０及びカバー部材１３０とで構成される。
ハウジング１２０は上部が開口したコンタクト収容部１２３と、シャーシに取り付けるベース部１２１とベース部１２１の下に基板３を挿入接続する基板挿入口１２２を有する。
コンタクト収容部１２３と基板挿入口１２２は連通している。
コンタクト１１０は図１１に示すようにコンタクトベース部１１１の下方に延在する基板接点部１１３を有し、上方には立設した弾性変形部１１６と立設片１１７を有する。
立設片１１７からはアーム部１１５を介して対向する一対の接触片１１４ａ，１１４ｂと左右の外側に突出延在するスタビライザー１１８を有する。
【００１５】
カバー部材１３０は樹脂製のカバーハウジング１３１に接触片収容部１３１ａを有する。
カバーハウジング１３１の側壁部に外側に突出した一対のスライドリブ１３２と係合爪１３３を有する。
図８に示すように、カバー部材１３０の接触片収容部１３１ａは、下方に向けて外側に広がる傾斜面１３４と、その上方に接触片を内側に押圧保持する垂直面１３５を有する。
一対の接触片１１４ａ，１１４ｂは開放状態では蛍光管２のリード部２ｂに接触しないように間隔をあけて立設している。
カバー部材１３０を下方に押し込むと、カバー部材１３０の傾斜面１３４によって接触片１１４ａ，１１４ｂが対向する内側に押圧され、リード部２ｂに接触し垂直面１３５にて押圧保持する。
押圧されたカバー部材１３０はその係合爪１３３がハウジングに設けた被係合部１２８に係合する。
カバー部材１３０はスライドリブ１３２がハウジングのガイドリブ１２５に摺接し、図９に示すようにコンタクトのスタビライザー１１８がハウジングのガイド部１２７により移動がガイドされる。
これにより、図１０に示すように、蛍光管の熱膨張によりリード部２ｂが図１０にて右側に移動するとコンタクト１１０の弾性変形部１１６が変形し、接触片１１４ａ，１１４ｂが移動する。
この際に接触片を支持するスタビライザー１１８がガイド部１２７にガイドされながら右側に移動し、この移動に追随してカバー部材１３０は移動する。
この際にカバー部材１３０に設けたスライドリブ１３２とハウジングのガイドリブ１２５が摺接移動する。
【符号の説明】
【００１６】
１０      コンタクト
１１      コンタクトベース部
１３      基板接点部
１４ａ，１４ｂ    接触片
１５ａ，１５ｂ    アーム部
１６      弾性変形部
１８      スタビライザー
１９      ガイド部
２０      ハウジング
２１      取付ベース部
２２      基板挿入口
２３      コンタクト収容部
１００    ソケット
１１０    コンタクト
１２０    ハウジング
１２５    ガイドリブ
１３０    カバー部材
１３１    カバーハウジング
１３２    スライドリブ
２００    ソケット
【図１】
2010225451.tif 000003
【図２】
2010225451.tif 000004
【図３】
2010225451.tif 000005
【図４】
2010225451.tif 000006
【図５】
2010225451.tif 000007
【図６】
2010225451.tif 000008
【図７】
2010225451.tif 000009
【図８】
2010225451.tif 000010
【図９】
2010225451.tif 000011
【図１０】
2010225451.tif 000012
【図１１】
2010225451.tif 000013